【事件の表示】
　特願２００７−　４１１６１「白色発光装置、バックライトおよび液晶表示装置」拒絶査定不服審判事件〔平成１９年　９月　６日出願公開、特開２００７−２２７９２８〕について、次のとおり審決する。
【結　論】
　本件審判の請求は、成り立たない。
【理　由】
　
第１　手続の経緯
　本願は、平成１９年２月２１日（パリ条約による優先権主張　２００６年２月２２日　大韓民国）の出願であって、平成２２年４月５日、同年８月１０日及び平成２３年８月２３日付けで手続補正がなされたが、平成２４年４月２３日付けで拒絶査定がなされ、これに対し、同年９月１０日に拒絶査定不服審判請求がなされ、これと同時に手続補正がなされたものである（以下、平成２４年９月１０日になされた手続補正を「本件補正」という。）。
　
第２　本件補正についての補正却下の決定
［補正却下の決定の結論］
　本件補正を却下する。
　
［理由］
１　補正の内容
　本件補正は、補正前（平成２３年８月２３日付け手続補正後のもの）の特許請求の範囲の請求項１につき、
「４２０ｎｍから４８０ｎｍの範囲にピーク波長を示すＬＥＤと、
　前記ＬＥＤ上に設けられ、５６０ｎｍから５９０ｎｍの範囲にピーク波長を示し、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体、Ｚｎ１−ｘＳｅｙＳ１−ｙ：Ｃｕｘ（０＜ｘ＜０．２、０．００５＜ｙ＜１）の組成を有する蛍光体、及びＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体から選択された２以上を含む第１の蛍光体と、
　前記ＬＥＤ上に設けられ、５１０ｎｍから５５０ｎｍの範囲にピーク波長を示す第２の蛍光体とを有し、
　前記ＬＥＤ、前記第１の蛍光体、及び前記第２の蛍光体から放出される光を混合して、１９３１ＣＩＥ色座標上において、ｘ＝０．２７〜０．３３、ｙ＝０．２５〜０．３５領域の白色光を発する白色発光装置。」
とあったものを、
「４２０ｎｍから４８０ｎｍの範囲にピーク波長を示すＬＥＤと、
　前記ＬＥＤ上に設けられ、５６０ｎｍから５９０ｎｍの範囲にピーク波長を示し、（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体、Ｚｎ１−ｘＳｅｙＳ１−ｙ：Ｃｕｘ（０＜ｘ＜０．２、０．００５＜ｙ＜１）の組成を有する蛍光体、及びＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体から選択された２以上を含む第１の蛍光体と、
　前記ＬＥＤ上に設けられ、５１０ｎｍから５５０ｎｍの範囲にピーク波長を示し、（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）、Ｅｕに活性化されたβサイアロン、ＳｒＳｉ２Ｏ２Ｎ２：Ｅｕ、Ｃａ３Ｓｃ２Ｓｉ３Ｏ１２：Ｃｅ、及びＣａＳｃ２Ｏ４：Ｅｕから選択された少なくとも一つの蛍光体を含む第２の蛍光体と、を有し、
　前記ＬＥＤ、前記第１の蛍光体、及び前記第２の蛍光体から放出される光を混合して、１９３１ＣＩＥ色座標上において、ｘ＝０．２７〜０．３３、ｙ＝０．２５〜０．３５領域の白色光を発する白色発光装置。」
に補正する内容を含むものである。
　
２　補正の目的
　本件補正は、補正前の請求項１の「第２の蛍光体」に、「（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）、（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）、Ｅｕに活性化されたβサイアロン、ＳｒＳｉ２Ｏ２Ｎ２：Ｅｕ、Ｃａ３Ｓｃ２Ｓｉ３Ｏ１２：Ｃｅ、及びＣａＳｃ２Ｏ４：Ｅｕから選択された少なくとも一つの蛍光体を含む」との限定を付加するものであるから、上記１の本件補正は、平成１８年法律第５５号改正附則第３条第１項によりなお従前の例によるとされる同法による改正前の特許法（以下「平成１８年改正前特許法」という。）第１７条の２第４項第２号に規定する特許請求の範囲の減縮を目的とするものと認められる。
　
３　独立特許要件について
　そこで、本件補正後の請求項１に係る発明（以下「本願補正発明」という。）が、特許出願の際独立して特許を受けることができるものであるかどうかについて検討する。
（１）本願補正発明の認定
　本願補正発明は、上記１において、補正後のものとして記載したとおりのものと認める。
　
（２）刊行物の記載及び引用発明
ア　原査定における拒絶理由通知に引用された、本願の優先日前に頒布された刊行物である、特開２００５−３０２７９７号公報（以下「引用文献」という。）には、以下の記載がある（下線は当審で付した。）。
（ア）「【請求項１】
発光素子と、該発光素子からの光の少なくとも一部を吸収し異なる波長を有する光を発する蛍光物質とを有する発光装置であって
　
前記蛍光物質は、Ｍｇ、Ｃａ、Ｓｒ、Ｂａ、Ｚｎからなる群より選択される少なくとも一種の元素と、Ｃｅとを含む蛍光体であ
発光装置。
　
（イ）「【００２１】本発明の発光装置において、量産性よく形成させるためには樹脂を利用することが好ましく、この場合蛍光物質からの発光波長と透光性樹脂の劣化等を考慮して、
発光素子は青色域に発光スペクトルを有し、その主発光波長は
４２０ｎｍ以上４９０ｎｍ以下がより好まし
　
（ウ）「【００２９】発光素子が発光した光と、蛍光体が発光した光が補色関係などにある場合、それぞれの光を混色させることで白色系の混色光を発光することができる。具体的には、発光素子からの光と、それによって励起され発光する蛍光体の光がそれぞれ光の３原色（赤色系、緑色系、青色系）に相当する場合や発光素子が発光した青色系の光と、それによって励起され発光する蛍光体の黄色系の光が挙げられる。」
　
（エ）「【００３２】以上のようにして形成される蛍光体は、発光装置の表面上において一層からなる波長変換部材中に二種類以上存在してもよいし、二層からなる波長変換部材中にそれぞれ一種類あるいは二種類以上存在してもよい。このようにすると、
異なる種類の蛍光体からの光の混色による白色光が得られる
【００３４】（アルカリ土類金属酸化物蛍光体）
本発明の発光装置に用いられる蛍光物質は、半導体発光素子からの発光スペクトルによって効率よく発光可能なものである。蛍光物質は少なくとも青色領域に励起領域を有することが好ましい。また、蛍光物質は半導体発光素子からの主発光波長が４００ｎｍよりも長波長の発光スペクトルの少なくとも一部を吸収し、緑色〜橙色領域の発光ピークを有する。・・・
【００４１】（アルミニウム・ガーネット系蛍光体）
本形態における蛍光物質は、アルミニウム・ガーネット系蛍光体を含有させることもできる。本明細書におけるアルミニウム・ガーネット系蛍光体とは、Ａｌを含み、かつＹ、Ｌｕ、Ｓｃ、Ｌａ、Ｇｄ、Ｔｂ、Ｅｕ及びＳｍから選択された少なくとも一つの元素と、Ｇａ及びＩｎから選択された一つの元素とを含み、希土類元素から選択された少なくとも一つの元素で付活された蛍光体であり、発光素子から発光された可視光や紫外線で励起されて発光する蛍光体である。・・・
【００４４】本発明の発光装置において、
蛍光体は、２種類以上の蛍光体を混合させてもよ
半導体発光素子の発光波長には、バラツキが生ずるものがあるため２種類以上の蛍光体を混合調整させて所望の白色系の混色光などを得ることができ
発光素子の発光波長に合わせて色度点の異なる蛍光体の量を調整し含有させることでその蛍光体間と発光素子で結ばれる色度図上の任意の点を発光させることができ
【００４５】発光層に窒化物系化合物半導体を用いた発光素子から発光した青色系の光と、青色光を吸収させるためボディーカラーが黄色である蛍光体から発光する緑色系の光と、赤色系の光とを混色表示させると所望の白色系発光色表示を行うことができる。蛍光体と結着剤との比率や塗布、充填量を種々調整すること及び発光素子の発光波長を選択することにより白色を含め電球色など任意の色調を提供させることができる。」
　
（オ）「【００７６】
（アルカリ土類金属珪酸塩）
本形態における
蛍光物質は、発光素子が発光した光の一部を吸収し、その吸収した光の波長と異なる波長を有する光を発光する蛍光体
（２−ｘ−ｙ）ＳｒＯ・ｘ（Ｂａ，Ｃａ）Ｏ・（１−ａ−ｂ−ｃ−ｄ）ＳｉＯ２・ａＰ２Ｏ５ｂＡｌ２Ｏ３ｃＢ２Ｏ３ｄＧｅＯ２：ｙＥｕ２＋（式中、０＜ｘ＜１．６、０．００５＜ｙ＜０．５、０＜ａ、ｂ、ｃ、ｄ＜０．５である。）（２−ｘ−ｙ）ＢａＯ・ｘ（Ｓｒ，Ｃａ）Ｏ・（１−ａ−ｂ−ｃ−ｄ）ＳｉＯ２・ａＰ２Ｏ５ｂＡｌ２Ｏ３ｃＢ２Ｏ３ｄＧｅＯ２：ｙＥｕ２＋（式中、０．０１＜ｘ＜１．６、０．００５＜ｙ＜０．５、０＜ａ、ｂ、ｃ、ｄ＜０．５である。）
　ここで、好ましくは、ａ、ｂ、ｃおよびｄの値のうち、少なくとも一つが０．０１より大きい。」
　
（カ）「【００８３】アルカリ土類金属ホウ酸ハロゲン蛍光体は、紫外領域から比較的短波長の可視領域（たとえば、主波長が４４０ｎｍ以下）の励起光により青色系〜白色系（たとえば、JIS Z8110の慣用色における白色、或いは系統色名図の基本色となる白色）〜赤色系の発光色を示すことができる。」
　
（キ）「【００９２】図１は、本実施例にかかる発光装置の模式的な上面図であり、図２は、図１に示される発光装置のＸ−Ｘ′における断面図である。本実施例における発光装置１００は、半導体素子に電力を供給するための正負一対のリード電極１０１、１０２を有し半導体素子を収納するためのパッケージ１０３と、出射される光の配光性を制御するためのレンズ１０４と、パッケージ１０３の凹部とレンズ１０４との間に充填された封止部材１０５とを少なくとも有する。封止部材１０５の一部は、発光素子からの光の少なくとも一部を吸収して異なる波長を有する光を発光する蛍光物質を含有する波長変換部材１０５ａとしてある。また、本実施例にかかる
発光素子は、
ＬＥＤチップ１０６であり、
　
イ　上記ア（ア）ないし（キ）によれば、引用文献には次の発明（以下「引用発明」という。）が記載されていると認められる。
「発光素子と、該発光素子からの光の少なくとも一部を吸収し異なる波長を有する光を発する蛍光物質とを有する発光装置であって、
　前記蛍光物質は、Ｍｇ、Ｃａ、Ｓｒ、Ｂａ、Ｚｎからなる群より選択される少なくとも一種の元素と、Ｃｅとを含む蛍光体であり、
　前記発光素子は、ＬＥＤチップであり、青色域に発光スペクトルを有し、その主発光波長は４２０ｎｍ以上４９０ｎｍ以下がより好ましく、
　前記蛍光物質は、発光素子が発光した光の一部を吸収し、その吸収した光の波長と異なる波長を有する光を発光する蛍光体であり、
　前記蛍光体は、２種類以上の蛍光体を混合させてもよく、半導体発光素子の発光波長には、バラツキが生ずるものがあるため２種類以上の蛍光体を混合調整させて所望の白色系の混色光などを得ることができ、発光素子の発光波長に合わせて色度点の異なる蛍光体の量を調整し含有させることでその蛍光体間と発光素子で結ばれる色度図上の任意の点を発光させることができ、
　異なる種類の蛍光体からの光の混色による白色光が得られる発光装置。」
　
（３）対比・判断
ア　本願補正発明と引用発明を対比する。
（ア）引用発明の「発光素子」は、「ＬＥＤチップであり、青色域に発光スペクトルを有し、その主発光波長は４２０ｎｍ以上４９０ｎｍ以下がより好まし」いものであるところ、ＬＥＤの発光特性に照らして、「主発光波長」の範囲内に「ピーク波長」があると認められる。　
　そうすると、引用発明の「発光素子」は、「ＬＥＤチップであり、青色域に発光スペクトルを有し、そのピーク波長は４２０ｎｍ以上４９０ｎｍ以下」にあるといえるから、本願補正発明の「４２０ｎｍから４８０ｎｍの範囲にピーク波長を示すＬＥＤ」をその範囲に含み、引用発明は、本願補正発明の「４２０ｎｍから４８０ｎｍの範囲にピーク波長を示すＬＥＤ」の構成を備える。
　
（イ）引用発明の、「蛍光物質」は、「発光素子が発光した光の一部を吸収し、その吸収した光の波長と異なる波長を有する光を発光する蛍光体」であり、蛍光体は、「２種類以上の蛍光体を混合させてもよく」、「２種類以上の蛍光体を混合調整させて所望の白色系の混色光などを得ることができ」、「異なる種類の蛍光体からの光の混色による白色光が得られる発光装置」であって、蛍光体は発光素子（ＬＥＤチップ）上に設けられるから、引用発明は、ＬＥＤ上に設けられる２種類以上の蛍光体を有し、ＬＥＤが発光した光と２種類以上の蛍光体が発光した光とを混色させることで白色系の混色光を発光することができる発光装置である。
　そうすると、引用発明は、本願補正発明の「前記ＬＥＤ上に設けられる第１の蛍光体と、前記ＬＥＤ上に設けられる第２の蛍光体と、を有し、前記ＬＥＤ、前記第１の蛍光体、及び前記第２の蛍光体から放出される光を混合して、白色光を発する白色発光装置」の構成を備える。
　
　以上によれば両者は、
「４２０ｎｍから４８０ｎｍの範囲にピーク波長を示すＬＥＤと、
　前記ＬＥＤ上に設けられる第１の蛍光体と、
　前記ＬＥＤ上に設けられる第２の蛍光体と、を有し、
　前記ＬＥＤ、前記第１の蛍光体、及び前記第２の蛍光体から放出される光を混合して、白色光を発する白色発光装置。」
である点で一致し、以下の点で相違するものと認められる。
　
ａ　本願補正発明の「第１の蛍光体」は、「５６０ｎｍから５９０ｎｍの範囲」にピーク波長を示し、「一般式（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体、一般式Ｚｎ１−ｘＳｅｙＳ１−ｙ：Ｃｕｘ（０＜ｘ＜０．２、０．００５＜ｙ＜１）の組成を有する蛍光体、及び、一般式ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体」から選択された２以上の蛍光体を含むものであり、また、「第２の蛍光体」は、「５１０ｎｍから５５０ｎｍの範囲」にピーク波長を示し、一般式「一般式（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）、一般式（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）、Ｅｕに活性化されたβサイアロン、ＳｒＳｉ２Ｏ２Ｎ２：Ｅｕ、Ｃａ３Ｓｃ２Ｓｉ３Ｏ１２：Ｃｅ、及びＣａＳｃ２Ｏ４：Ｅｕから選択された少なくとも一つの蛍光体を含む」ものであるのに対して、引用発明の２種類以上の蛍光体は、ピーク波長と具体的な組成が特定されるものではない点（以下「相違点１」という。）。
　
ｂ　本願補正発明の「白色光」は、「１９３１ＣＩＥ色座標上において、ｘ＝０．２７〜０．３３、ｙ＝０．２５〜０．３５領域の白色光」であるのに対して、引用発明の白色光は、色座標上の領域が特定されるものではない点（以下「相違点２」という。）。
　
イ　判断
（ア）上記相違点１について検討する。
ａ　引用発明は、主発光波長が「４２０ｎｍ以上４９０ｎｍ以下」の「青色域」に発光スペクトルを有するＬＥＤチップ（発光素子）と、当該発光素子が発光した光の一部を吸収し、その吸収した光の波長と異なる波長を有する光を発光する蛍光体として２種類以上の蛍光体を用い、発光素子の発光波長に合わせて色度点の異なる蛍光体の量を調整し含有させることでその蛍光体間と発光素子で結ばれる色度図上の任意の点を発光させることができるものにおいて、当該任意の点を所望の白色系の混色光（白色光）とするものである。
　そして、引用発明を実施するに際して、具体的にどのような蛍光体を用いるかは、当業者が適宜定め得る事項である。
　しかるところ、下記ｂないしｈのとおり、Ｓｒ３ＳｉＯ５：Ｅｕの組成を有する蛍光体、付活剤Ｃｕを含む蛍光体ＺｎＳxＳｅ1-x（０．２≦ｘ≦０．４）及びＣｕを含む塊状のＺｎＳＳｅ結晶からなる蛍光部、Ｅｕを付活したＣａ−αサイアロン及びアルファサイアロン、ＳｒＧａ2Ｓ4：Ｅｕ2+緑色蛍光体とＣａＧａ2Ｓ4：Ｅｕ2+黄色蛍光体及び緑色蛍光体ＳｒＧａ2Ｓ4：Ｅｕ2+、Ｅｕで付活された（Ｍ１１−ａＥｕａ）２ＳｉＯ４で表される蛍光体（Ｍ１は、Ｍｇ、Ｃａ、Ｂａ、Ｓｒ、Ｚｎから選択される少なくとも一種であり、０．０００１≦ａ≦０．５である）及び（Ｓｒ，Ｃａ，Ｂａ，Ｍｇ）２ＳｉＯ４：Ｅｕ珪酸塩蛍光体、Ｅｕに活性化されたβサイアロン蛍光体及びＥｕを付活したβ−サイアロン、緑色から黄色に発光するＳｒＳｉ２Ｏ２Ｎ２：Ｅｕ及び黄緑色の光を放出する一般式ＳｒＳｉ２Ｏ２Ｎ２：Ｅｕで表される酸窒化物蛍光体、Ｃａ3Ｓｃ2Ｓｉ3Ｏ12：Ｃｅ3+緑色蛍光体及びＣｅを付活したカルシウム・スカンジウム・シリコン複合酸化物（Ｃａ3Ｓｃ2Ｓｉ3Ｏ12）、Ｍ5kＭ6lＭ7mＯn （Ｍ5はＥｕを共付活剤として含有させ、Ｍ6の元素の５０モル％以上がＣａであることが特に好ましく、Ｍ7の元素の５０モル％以上がＳｃであることが特に好ましい）は従来周知の蛍光体である（以下、「周知蛍光体等」という。）。
　してみると、引用発明において、上記周知蛍光体等を用いることに格別の困難があるものとは認められない。
　ここで、上記周知蛍光体等はそれぞれ、本願補正発明の「一般式（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体、一般式Ｚｎ１−ｘＳｅｙＳ１−ｙ：Ｃｕｘ（０＜ｘ＜０．２、０．００５＜ｙ＜１）の組成を有する蛍光体、一般式ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体、一般式（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）の組成を有する蛍光体、一般式（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）の組成を有する蛍光体、Ｅｕに活性化されたβサイアロン蛍光体、ＳｒＳｉ２Ｏ２Ｎ２：Ｅｕの組成を有する蛍光体、Ｃａ３Ｓｃ２Ｓｉ３Ｏ１２：Ｃｅの組成を有する蛍光体、及びＣａＳｃ２Ｏ４：Ｅｕの組成を有する蛍光体に該当するものである。
　また、引用発明が  蛍光体として２種類以上の蛍光体を用いるものであるところ、例えば３種類の蛍光体を用いる場合に、蛍光体Ａ、「付活剤Ｃｕを含む蛍光体ＺｎＳxＳｅ1-x（０．２≦ｘ≦０．４）及びＣｕを含む塊状のＺｎＳＳｅ結晶からなる蛍光部」及び「Ｅｕを付活したＣａ−αサイアロン及びアルファサイアロン」から２種類を選択することを妨げる理由はなく、本願発明においても、「一般式（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体」、「一般式Ｚｎ１−ｘＳｅｙＳ１−ｙ：Ｃｕｘ（０＜ｘ＜０．２、０．００５＜ｙ＜１）の組成を有する蛍光体」、及び、「一般式ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体」から２以上を選択することの格別の効果に係る記載はないから、当業者が適宜定め得る事項以上の意義を有するものとは認められない。
　したがって、引用発明において、相違点１に係る本願補正発明の構成とすることは、当業者が適宜なし得る程度のことである。
　
ｂ　一般式（３−ｘ−ｙ）ＳｒＯ・ｘ（Ｂａ、Ｃａ）Ｏ・（１−ａ−ｂ−ｃ−ｄ）ＳｉＯ２・ａＰ２Ｏ５　ｂＡｌ２Ｏ３・ｃＢ２Ｏ３・ｄＧｅＯ２：ｙＥｕ２＋（０≦ｘ＜２．４、０．００５＜ｙ＜０．５、０≦ａ、ｂ、ｃ、ｄ＜０．５）の組成を有する蛍光体の要件を満たす蛍光体が従来周知である点について
　例えば、特開２００６−３６９４３号公報の「【０００７】・・・Ｓｒ３ＳｉＯ５：Ｅｕ２＋蛍光体は、緑色蛍光体として以前からよく知られている。・・・【００１５】本発明の橙色蛍光体は、例えば、発光ダイオードにおいて、演色性の向上等が期待される。また、紫外光で励起するランプや近紫外や可視光を放射する発光ダイオードと組み合わせて、高輝度な燈色発光・表示素子、または他の蛍光体などと組み合わせて白色を含むさまざまな色の発光・表示素子を得ることが期待される。・・・【００１８】一方、前述緑色蛍光体と同じ出発材料・原料配合比でも、焼成条件を変えることによりＳｒ３ＳｉＯ５の単相の結晶構造を生成できること、及び、この単相の結晶構造を持つ蛍光体は緑色ではなく、５８０ｎｍ付近にピークを持つ橙色の高輝度発光を示すことを本発明者らは世界に先駆けて発見した。」との記載参照。
　
ｃ　一般式Ｚｎ１−ｘＳｅｙＳ１−ｙ：Ｃｕｘ（０＜ｘ＜０．２、０．００５＜ｙ＜１）の組成を有する蛍光体の要件を満たす蛍光体が従来周知である点について
　例えば、特開２００５−７２４７９号公報の【請求項１０】「蛍光体ＺｎＳxＳｅ1-x（０ｘ１）として、付活剤ＡｕおよびＣｕの少なくとも一方を含む蛍光体ＺｎＳxＳｅ1-x（０．２≦ｘ≦０．４）を備え、さらに緑色の光を発する別の蛍光体をさらに備え、両方の蛍光体は前記ＬＥＤから出射される波長４１０ｎｍ〜４９０ｎｍの範囲の光によって励起されて光を発する・・・白色発光素子。」、及び、特開２００５−２９４６４６号公報の【００１０】「発光装置は、第１の蛍光部が第２の元素としてＡｇを含み、第２の蛍光部が、第１の元素、並びにＣｕ及びＡｕのうち少なくとも一方の元素を含む塊状のＺｎＳＳｅ結晶からなり第１の蛍光部の光出射面上に設けられた固体蛍光部を含む・・・演色性のよい白色光を好適に実現できる。」との記載参照。
　
ｄ　一般式ＣａｘＳｉ１２−（ｚ＋ｗ）Ａｌｚ＋ｗＯｗＮ１６−ｗ：Ｅｕｙ２＋（０．５＜ｘ＜０．９、０．０１＜ｙ＜０．１５、０＜ｚ＜４、０＜ｗ＜４、０＜ｚ＋ｗ＜４）の組成を有するＣａ−αサイアロン蛍光体、及び、Ｅｕに活性化されたβサイアロン蛍光体の要件を満たす蛍光体が従来周知である点について
　例えば、国際公開第２００６／１６７１１号の「【請求項４１】・・・発光光源が３３０〜４２０ｎｍの波長の光を発するＬＥＤまたはＬＤであり、・・・青色光と緑色光と黄色光と赤色光を混合して白色光を発する・・・照明器具。【請求項４２】該緑色蛍光体がＥｕを付活したβ−サイアロンであることを特徴とする請求項４０項または４１項のいずれか１項に記載の照明器具。・・・【請求項４４】該黄色蛍光体がＥｕを付活したＣａ−αサイアロンであることを特徴とする請求項４１項に記載の照明器具。」、及び、特開２００４−１８６２７８号公報の「【００７１】ベータサイアロンに、Ｅｕ酸化物を添加し合成した蛍光体・・・【００７６】第２の蛍光体は、アルファサイアロンを主成分とする蛍光体・・・であり、青色ＬＥＤチップを光源とする白色ＬＥＤの高輝度化を可能とする希土類元素を固溶したアルファサイアロンとベータサイアロンおよび未反応の窒化ケイ素からなるサイアロン系蛍光体である。」との記載参照。
　
ｅ　一般式（Ｓｒ１−ｘ−ｙ、Ｃａｘ）Ｇａ２（Ｓｚ、Ｓｅ１−ｚ）４：Ｅｕｙ２＋（０≦ｘ＜１、０＜ｙ＜０．２、０＜ｘ＋ｙ≦１、０＜ｚ≦１）及びＣａ３Ｓｃ２Ｓｉ３Ｏ１２：Ｃｅの組成を有する蛍光体の要件を満たす蛍光体が従来周知である点について
　例えば、特開２００６−４９７９９号公報の「【００７６】発光素子１を４２０ｎｍ以上５００ｎｍ未満の波長領域に発光ピークを有する青色発光素子とすると、発光素子１が放つ光と蛍光体が放つ光との混色等によって、白色系光を放つ半導体発光素子になる。・・・【００７７】例えば、ＳｒＧａ2Ｓ4：Ｅｕ2+緑色蛍光体・・・Ｃａ3Ｓｃ2Ｓｉ3Ｏ12：Ｃｅ3+緑色蛍光体・・・ＣａＧａ2Ｓ4：Ｅｕ2+黄色蛍光体等が使用できる。」、及び、特開２００６−４５５２６号公報の「【０００４】青色発光ダイオードと、緑色蛍光体及び赤色蛍光体とを組み合わせる方法が考えられており、・・・青色発光ダイオードと、緑色蛍光体ＳｒＧａ2Ｓ4：Ｅｕ2+及び赤色蛍光体ＺｎＣｄＳ：Ａｇ，Ｃｌとを組み合わせた白色ＬＥＤが開示されている。・・・【０００５】一方、製造時の焼成温度が比較的低く製造が容易な蛍光体として、Ｃｅを付活したカルシウム・スカンジウム・シリコン複合酸化物（Ｃａ3Ｓｃ2Ｓｉ3Ｏ12）が・・・開示されている。」との記載参照。
　
ｆ　一般式（Ｓｒ１−ｘ−ｙ−ｚ、Ｃａｘ、Ｂａｙ、Ｍｇｚ）２ＳｉＯ４：Ｅｕｗ２＋（０＜ｘ＜１、０．５＜ｙ＜１、０＜ｚ＜１、０．０３＜ｗ＜０．２、０＜ｘ＋ｙ＋ｚ＋ｗ＜１）の組成を有する蛍光体の要件を満たす蛍光体が従来周知である点について
　例えば、特開２００５−３４０７４８号公報の「【請求項１】２５０ｎｍから５００ｎｍまでに主発光ピークを持つ励起光源からの光により、実質的に直接励起される蛍光体を少なくとも２種以上用いて発光させ、該２種以上の蛍光体の光が混合して各種の発光色を実現する発光装置・・・【請求項２２】前記発光装置は、白色系に発光する・・・【００５３】また、少なくともＥｕで付活されたアルカリ土類金属珪酸塩蛍光体としては、・・・（Ｍ１１−ａＥｕａ）２ＳｉＯ４で表される蛍光体。ここで、Ｍ１は、Ｍｇ、Ｃａ、Ｂａ、Ｓｒ、Ｚｎから選択される少なくとも一種であり、０．０００１≦ａ≦０．５である。」、及び、特開２００５−２３２３１１号公報の「【００１４】・・・長波長紫外線を放射するＬＥＤチップと・・・緑色発光アルカリ土類金属ホウ酸塩蛍光体に加えて、青色発光蛍光体及び赤色発光蛍光体を有する白色ＬＥＤ発光装置は、高い発光効率を有する。【００１５】・・・（Ｓｒ，Ｃａ，Ｂａ，Ｍｇ）２ＳｉＯ４：Ｅｕ等の珪酸塩蛍光体・・・から選択される少なくとも１種の蛍光体を有するＬＥＤ発光装置は、種々の発光色を呈し、優れた発光特性を有する。」との記載参照。
　
ｇ　ＳｒＳｉ２Ｏ２Ｎ２：Ｅｕの組成を有する蛍光体が従来周知である点について
　例えば、特開２００６−１３３１１号公報の「【００５１】例えば、青色に発光するＧａＮ系化合物半導体を用いて・・・発光素子１１０からの光と、蛍光物質１４０からの光との混合色により白色に発光する発光装置を提供することができる。【００５２】あるいは、緑色から黄色に発光する・・・ＳｒＳｉ２Ｏ２Ｎ２：Ｅｕと・・・を使用することによって、演色性の良好な白色に発光する発光装置を提供することができる。これは、色の三源色である赤・青・緑を使用しているため、第１の蛍光体及び第２の蛍光体の配合比を変えることのみで、所望の白色光を実現することができる。」、及び、特開２００４−２７７５４７号公報の【要約】「４００ｎｍ近傍の光を放出する発光素子からの光を吸収し、黄緑色の光を放出する一般式ＳｒＳｉ２Ｏ２Ｎ２：Ｅｕで表される酸窒化物蛍光体であって、このＳｒの一部をＥｕで置換して、Ｅｕの配合比を調整する。この酸窒化物蛍光体と、青色光を発する蛍光体と、赤色光を発する蛍光体と、からなる蛍光体を、４００ｎｍ近傍で発光する発光素子で照射を行った白色系発光装置に関する。」との記載参照。
　
ｈ　ＣａＳｃ２Ｏ４：Ｅｕの組成を有する蛍光体の要件を満たす蛍光体が従来周知である点について
　例えば、特開２００６−４７９７５号公報の「【００４５】・・・発光装置は通電により、まず発光ダイオードが青色または深青色に発光する。蛍光体はその一部を吸収し、緑色帯あるいは赤色帯に発光する。発光装置から出てくる光としては、発光ダイオードもともとの青色帯と、蛍光体によって波長変換された緑色帯と赤色帯が混合され、おおよそ白色のものが得られる。【００６８】Ｍ5kＭ6lＭ7mＯn ……（８）ここで、Ｍ5は少なくともＣｅを含む付活剤元素、Ｍ6は２価の金属元素、Ｍ7は３価の金属元素をそれぞれ示し・・・式（８）におけるＭ5は、・・・Ｅｕ・・・を共付活剤として含有させることができる。・・・【００７０】式（８）におけるＭ6は２価の金属元素であるが・・・Ｍ6の元素の５０モル％以上がＣａであることが特に好ましい。 式（８）におけるＭ7は３価の金属元素であるが、同様の面から・・・Ｍ7の元素の５０モル％以上がＳｃであることが特に好ましい。」との記載参照。
　
（イ）上記相違点２について検討する。
　引用発明の「白色」は、具体的にどのような白色とするかは当業者が設計上適宜定め得るところ、「１９３１　ＣＩＥ色座標」は従来周知の色座標であって、本願補正発明で特定される、「１９３１　ＣＩＥ色座標上において、純粋な白色に該当するｘ＝０．２７〜０．３３、ｙ＝０．２５〜０．３５領域として特定される白色光」とすることに格別の困難があるものとは認められない。
　
ウ　請求人の主張について
　請求人は、平成２５年３月１８日の回答書において、
「（２）引用文献１〜３には、各波長範囲の光を放出する蛍光体の同一組成が全て開示されているわけではありません。本願発明の第１の蛍光体及び第２の蛍光体と青色ＬＥＤとの組み合わせによって良好な色座標特性を有する白色発光装置を具現することが当業者にとって容易ではありません。・・・
２）引用文献は、本願請求項１における第１の蛍光体と第２の蛍光体との組み合わせを開示していません。・・・
３）引用文献は、請求項１に提示したＣＩＥ座標の特定範囲を開示していません。・・・」旨を主張している。
　しかしながら、従来周知の蛍光体を適宜組みあわせて上記相違点１に係る本願補正発明の構成となすことは、当業者が容易に想到し得た事項であることは上記イ（ア）で検討したとおりであり、「白色光」をＣＩＥ座標の特定範囲に特定することに格別の困難があるものとは認められないことは上記イ（イ）で検討したとおりであるから、請求人の上記主張は、上記ウの判断を左右するものではない。
　
（４）まとめ
　したがって、本願補正発明は、引用発明に基づいて当業者が容易に発明をすることができたものであるから、特許法第２９条第２項の規定により、特許出願の際独立して特許を受けることができないものである。
　
４　本件補正についてのむすび
　上記３の検討によれば、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　上記のとおり、本件補正は却下されたので、本願の請求項に係る発明は、平成２３年８月２３日付けで補正された明細書及び図面の記載からみて、その特許請求の範囲の請求項１ないし７に記載された事項によって特定されるものと認められるところ、その請求項１に係る発明（以下「本願発明」という。）は、上記第２、１において、補正前のものとして示したとおりのものである。
　
２　刊行物の記載及び引用発明
　上記第２、３（２）のとおりである。
　
３　対比・判断
　上記「第２　２　補正の目的」のとおり、本願補正発明は、本願発明に限定を付加したものである。
　そして、本願発明の構成要件をすべて含み、さらに限定を付加した本願補正発明が、引用発明に基づいて当業者が容易に発明をすることができたものである以上、上記第２、３（３）での検討と同様の理由により、本願発明は引用発明に基づいて当業者が容易に発明し得るものである。
　
第４　むすび
　以上のとおり、本願発明は、引用発明に基づいて当業者が容易に発明をすることができたものであるから、特許法第２９条第２項の規定により、特許を受けることができないものである。
　
　よって、結論のとおり審決する。